(57)【要約】【課題】  サブ基板からの電流駆動信号と電圧駆動信号とを共通化して中継可能な信号中継装置を提供する。【解決手段】  遊技機の制御を司る制御装置に含まれて該遊技機の従属動作を制御する従属動作基板と、信号中継基板を介して従属動作基板に接続されている電流動作基板及び電圧動作基板とを含み、従属動作基板によって生成される電流信号及び電圧信号を電流動作基板及び電圧動作基板に中継する信号中継装置において、上記電流信号を中継する電流信号路と、上記電圧信号を中継する電圧信号路と、上記従属動作基板における基準電位を中継する基準電位中継路と、上記従属動作基板における電源電位を中継する電源電位中継路とを設ける。【選択図】  図３
2006239075.tif 000002
【特許請求の範囲】
【請求項１】
遊技機の制御を司る制御装置に含まれて前記遊技機の従属動作を制御する従属動作基板と、信号中継基板を介して前記従属動作基板に接続されている電流動作基板及び電圧動作基板とを含み、前記従属動作基板によって生成される電流信号及び電圧信号を前記電流動作基板及び電圧動作基板に中継する信号中継装置であって、
前記電流信号を中継する電流信号路と、
前記電圧信号を中継する電圧信号路と、
前記従属動作基板における基準電位を中継する基準電位中継路と、
前記従属動作基板における電源電位を中継する電源電位中継路と、を含むことを特徴とする信号中継装置。
【請求項２】
前記電流信号路、前記電圧信号路、前記基準電位中継路、及び前記電源電位中継路の各々が同一の信号中継基板上に形成されていることを特徴とする請求項１に記載の信号中継装置。
【請求項３】
前記電源電位中継路と前記基準電位中継路との間に接続された表示素子を含むことを特徴とする請求項１又は２に記載の信号中継装置。
【請求項４】
前記電流動作基板は、ＬＥＤ駆動回路を含む回路基板であることを特徴とする請求項１ないし３の何れか１項に記載の信号中継装置。
【請求項５】
前記電圧動作基板は、マイクロプロセッサ及びその周辺回路を含む回路基板であることを特徴とする請求項１ないし３の何れか１項に記載の信号中継装置。
【発明の詳細な説明】
【技術分野】
【０００１】
本発明は、パチンコ機やバチスロ機等の遊技機における表示並びに動作等の制御信号の信号中継装置に関する。
【背景技術】
【０００２】
近年のエレクトロニクス技術の飛躍的な進歩とマイクロプロセッサやＬＥＤ等の各種電子部品の大幅なコスト低下に伴い、パチンコ機やバチスロ機などの遊技機において、その表示や制御を行わしめる各種の電子回路が広く導入されつつある。従来、遊技機の主機能とも言うべき出玉性能に直接関与しない、例えば、表示用ＬＥＤの駆動回路や、遊技盤面において様々な役割を果たす仕掛けである可動役物等の制御回路等は、遊技機の制御中枢部であるメイン基板ではなく、遊技機の従属動作を司る基板、即ちサブ基板によってその制御が為されている（特許文献１等参照）。
【０００３】
しかしながら、表示用ＬＥＤの駆動回路におけるＬＥＤの表示系統数や、可動役物の有無等の実装態様は遊技機の機種毎に異なっている。それ故、これらの制御を担うサブ基板については機種毎の対応が必要であり、機種毎にサブ基板の基板パターンの改版を行う必要があった。したがって、異なる機種間におけるサブ基板の共通化、或いは機種更新に伴うサブ基板の再利用化が困難であった。
【０００４】
また、表示用ＬＥＤの駆動回路に対する制御信号（以下“ＬＥＤ駆動信号”と称する）は、トランジスタ等のドライブ素子が、表示用ＬＥＤを発光駆動させるための発光駆動電流を吸い込むいわゆる電流信号である。一方、可動役物等の制御回路に対する制御信号（以下“コマンド信号”と称する）は、トランジスタ等のドライブ素子が、可動役物等の制御を担うマイクロプロセッサに対して、オン又はオフの電圧レベルを指令するいわゆる電圧信号である。したがって、サブ基板は、これら両信号の特性に応じた出力インターフェイスを具備する必要が有りサブ基板の構成が複雑化する嫌いがあった。
【０００５】
なお、サブ基板からコマンド信号を出力して、同信号を受けた基板を改版することにより、コマンド信号からＬＥＤ駆動信号を生成してサブ基板の共通化を図ることも可能である。しかしながら、コマンド信号出力のコネクタが未接続となる状態は、遊技機に関する関係法規等で禁じられている。それ故、かかる構成を採った場合には、常にコマンド信号を受ける基板が必要となり、遊技機トータルとして逆に基板数の増加を招くというデメリットが生ずる。
【特許文献１】特開２００１−７０５８１号公報
【発明の開示】
【発明が解決しようとする課題】
【０００６】
本発明は、このような問題を解決するために為されたものであって、サブ基板からのＬＥＤ駆動信号をコマンド信号に利用することにより、コマンド信号を受ける必要がないときであってもサブ基板の共通化が可能な信号中継装置を提供する。
【課題を解決するための手段】
【０００７】
請求項１に記載の発明は、遊技機の制御を司る制御装置に含まれて前記遊技機の従属動作を制御する従属動作基板と、信号中継基板を介して前記従属動作基板に接続されている電流動作基板及び電圧動作基板とを含み、前記従属動作基板によって生成される電流信号及び電圧信号を前記電流動作基板及び電圧動作基板に中継する信号中継装置であって、前記電流信号を中継する電流信号路と、前記電圧信号を中継する電圧信号路と、前記従属動作基板における基準電位を中継する基準電位中継路と、前記従属動作基板における電源電位を中継する電源電位中継路とを含むことを特徴とする。
【０００８】
また、請求項２に記載の発明は、請求項１に記載の信号中継装置であって、前記電流信号路、前記電圧信号路、前記基準電位中継路、及び前記電源電位中継路の各々が同一の信号中継基板上に形成されていることを特徴とする。
【０００９】
また、請求項３に記載の発明は、請求項１又は２に記載の信号中継装置であって、前記電源電位中継路と前記基準電位中継路との間に接続された表示素子を含むことを特徴とする。
【００１０】
また、請求項４に記載の発明は、請求項１乃至３の何れか１項に記載の信号中継装置であって、前記電流動作基板がＬＥＤ駆動回路を含む回路基板であることを特徴とする。
【００１１】
また、請求項５に記載の発明は、請求項１乃至３の何れか１項に記載の信号中継装置であって、前記電圧動作基板がマイクロプロセッサ及びその周辺回路を含む回路基板であることを特徴とする。
【発明を実施するための最良の形態】
【００１２】
【実施例１】
【００１３】
図１に本発明の第１の実施例である遊技機における信号中継装置の構成を示す。
【００１４】
同図において、サブ基板（従属動作基板）１０は、当否抽選を行うメイン基板の抽選結果を受けて遊技機の制御（従属動作）を行う回路基板である。即ち、メイン基板からの抽選結果を受けて、遊技機における表示用ＬＥＤの駆動回路や可動役物等の制御回路等の各種回路を制御する制御信号等を生成して、かかる制御信号を出力する回路基板である。
【００１５】
信号中継基板２０は、サブ基板（従属動作基板）１０から出力された各種制御信号を、ＬＥＤ基板（電流動作基板）３０に中継伝達する回路基板である。
【００１６】
ＬＥＤ基板（電流動作基板）３０は、遊技盤における各種の電飾用ＬＥＤの発光を駆動制御する駆動回路が実装された回路基板である。
【００１７】
また、サブ基板（従属動作基板）１０にはコネクタＣＮ１が、信号中継基板２０にはコネクタＣＮ２とコネクタＣＮ３が、ＬＥＤ基板（電流動作基板）３０にはコネクタＣＮ４がそれぞれ実装されている。そして、サブ基板（従属動作基板）１０のコネクタＣＮ１と信号中継基板２０のコネクタＣＮ２とはケーブルＣｂ１を介して接続されており、信号中継基板２０のコネクタＣＮ３とＬＥＤ基板（電流動作基板）３０のコネクタＣＮ４とはケーブルＣｂ２を介して接続されている。
【００１８】
次に、図１に示される実施例の動作について説明を行う。
【００１９】
サブ基板（従属動作基板）１０からケーブルＣｂ１を介して信号中継基板２０へ供給される信号には、電源電圧信号、ＬＥＤ駆動信号１乃至ｎ、及び基準電位信号が含まれている。電源電圧信号は、ＬＥＤ基板（電流動作基板）３０に実装されたＬＥＤを発光させるため、例えば、＋１２Ｖや＋２４Ｖ等の直流電源電圧を供給する信号である。ＬＥＤ駆動信号１乃至ｎは、ＬＥＤ基板（電流動作基板）３０に実装されたＬＥＤ毎にその点灯或いは消灯を制御する制御信号である。前述の如く、ＬＥＤ駆動信号は電流信号であって、各々の信号に対応するＬＥＤの発光時に、いわゆるシンク電流が各ＬＥＤのカソード側からサブ基板（従属動作基板）１０のＬＥＤ駆動信号端子に流入する。そして、かかるシンク電流が遮断されると各ＬＥＤは消灯する。基準電位信号は、上記の電源電圧信号、及びＬＥＤ駆動信号１乃至ｎ、に対して基準となる電位を供給する信号である。
【００２０】
なお、図１のブロック図には基準電位がアース電位（０Ｖ）として設定された事例が示されているが、本発明はかかる事例に限定されるものではなく、遊技機各機種の実施態様に応じて任意の電位を基準電位信号として選択することができるものとする。
【００２１】
サブ基板（従属動作基板）１０から供給された電源電圧信号、及びＬＥＤ駆動信号１乃至ｎは、信号中継基板２０においてコネクタＣＮ２からコネクタＣＮ３に中継され、ケーブルＣｂ２を介してＬＥＤ基板（電流動作基板）３０に供給される。
【００２２】
なお、信号中継基板２０内でコネクタＣＮ２からコネクタＣＮ３に電源電圧信号を中継する経路が電源電位中継路に相当し、ＬＥＤ駆動信号１乃至ｎを中継する経路が電流信号路に相当する。因みに、これらの経路は、信号中継基板２０上に形成されたプリント・パターンや、同基板上に布設されたジャンパ線等で構成しても良いし、或いは、その他の導電性媒体等を利用して信号中継基板２０上に設けるようにしても良い。
【００２３】
また、信号中継基板２０の内部には電流制限抵抗Ｒａ及びＬＥＤａの直列回路が設けられており、電流制限抵抗Ｒａの一端が電源電圧信号に、また、ＬＥＤａのカソードが基準電位信号に接続されている。つまり、電源電圧がサブ基板（従属動作基板）１０から信号中継基板２０に供給されている間は、電源電圧から電流制限抵抗Ｒａを介してＬＥＤａに駆動電流が流れてＬＥＤａが発光する。これによって、遊技機を保守・管理するユーザーは、サブ基板（従属動作基板）１０からの電源電圧の供給が正常に為されていることを容易に視認することができる。
【００２４】
信号中継基板２０からケーブルＣｂ２を介して電源電圧信号、及びＬＥＤ駆動信号１乃至ｎの供給を受けたＬＥＤ基板（電流動作基板）３０では、これらの信号が同基板上に実装されている各々のＬＥＤと電流制限抵抗Ｒの直列回路に供給される。これを具体的に示せば、電流制限抵抗Ｒ１〜ｎの一端は全て電源電圧信号に接続され、ＬＥＤ１〜ｎのカソード側はそれぞれのＬＥＤが対応するＬＥＤ駆動信号１乃至ｎの各々に接続されている。したがって、点灯すべきＬＥＤの場合は、電源電圧から電流制限抵抗Ｒを通してＬＥＤ駆動信号が流れて同ＬＥＤは発光し、消灯すべきＬＥＤの場合は、かかるＬＥＤ駆動信号が流れず同ＬＥＤは発光しない。
【００２５】
なお、本実施例の態様は図１に示される事例に限定されるものではなく、例えば、サブ基板（従属動作基板）１０に複数のコネクタを設けて、コネクタ毎に各々のケーブルを介して複数の信号中継基板２０を接続するようにしても良い。
【実施例２】
【００２６】
次に、図２に本発明の第２の実施例である遊技機における信号中継装置の構成を示す。
【００２７】
同図において、サブ基板（従属動作基板）１０は、当否抽選を行うメイン基板の抽選結果を受けて遊技機の制御（従属動作）を行う回路基板である。即ち、遊技機における表示用ＬＥＤの駆動回路や可動役物等の制御回路等の各種回路を制御する制御信号等を生成して、かかる信号を出力する回路基板である。
【００２８】
信号中継基板２０は、サブ基板（従属動作基板）１０から出力された各種信号を、拡張制御基板（電圧動作基板）４０に中継伝達する回路基板である。
【００２９】
拡張制御基板（電圧動作基板）４０は、例えば、可動役物や拡張ＬＥＤを制御表示するマイクロプロセッサやその周辺回路などが実装された回路基板である。
【００３０】
また、サブ基板（従属動作基板）１０にはコネクタＣＮ１が、信号中継基板２０にはコネクタＣＮ２とコネクタＣＮ３が、拡張制御基板（電圧動作基板）４０にはコネクタＣＮ４がそれぞれ実装されている。そして、サブ基板（従属動作基板）１０のコネクタＣＮ１と信号中継基板２０のコネクタＣＮ２はケーブルＣｂ１を介して接続されており、信号中継基板２０のコネクタＣＮ３と拡張制御基板（電圧動作基板）４０のコネクタＣＮ４はケーブルＣｂ２を介して接続されている。
【００３１】
次に、図２に示される実施例の動作について説明を行う。
【００３２】
本実施例では、サブ基板（従属動作基板）１０からケーブルＣｂ１を介して信号中継基板２０へ供給される信号には、電源電圧信号、コマンド信号１乃至ｎ、及び基準電位信号が含まれている。電源電圧信号は、拡張制御基板（電圧動作基板）４０に実装されているマイクロプロセッサ等の回路を稼動させるため、例えば、＋１２Ｖや＋２４Ｖ等の直流電源電圧を供給する信号である。コマンド信号１乃至ｎは、拡張制御基板（電圧動作基板）４０に実装されている可動役物や拡張ＬＥＤを制御するための制御信号である。前述の如く、コマンド信号は電圧信号であって、各々の信号に対応する制御項目は、コマンド信号の示す電圧レベルに応じてオン／オフの制御が為される。基準電位信号は、上記の電源電圧信号、及びコマンド信号１乃至ｎ、に対して基準となる電位を供給する信号である。
【００３３】
サブ基板（従属動作基板）１０から供給された電源電圧信号、コマンド信号１乃至ｎ、及び基準電位信号は、信号中継基板２０においてコネクタＣＮ２からコネクタＣＮ３に中継され、ケーブルＣｂ２を介して拡張制御基板（電圧動作基板）４０に供給される。
【００３４】
なお、信号中継基板２０内でコネクタＣＮ２からコネクタＣＮ３に電源電圧信号を中継する経路が電源電位中継路に相当し、コマンド信号１乃至ｎを中継する経路が電圧信号路に相当する。また、基準電位信号を中継する経路が基準電位中継路に相当する。因みに、これらの経路は、信号中継基板２０上に形成されたプリント・パターンや、同基板上に布設されたジャンパ線等で構成しても良いし、或いは、その他の導電性媒体等を利用して信号中継基板２０上に設けるようにしても良い。
【００３５】
なお、図２のブロック図には基準電位をアース電位（０Ｖ）として設定した事例が示されているが、本発明はかかる事例に限定されるものではなく、遊技機の各機種の実施態様に応じて任意の基準電位を基準電位信号として選択することができるものとする。
【００３６】
また、信号中継基板２０の内部には電流制限抵抗Ｒａ及びＬＥＤａの直列回路が設けられており、電流制限抵抗Ｒａの一端が電源電圧信号に、また、ＬＥＤａのカソードが基準電位信号に接続されている。つまり、電源電圧がサブ基板（従属動作基板）１０から信号中継基板２０に供給されている間は、電源電圧から電流制限抵抗Ｒａを介してＬＥＤａに駆動電流が流れて同ダイオードが発光する。これによって、遊技機を保守・管理するユーザーは、サブ基板（従属動作基板）１０からの電源電圧の供給が正常に為されていることを容易に視認することができる。
【００３７】
電源電圧信号並びに基準電位信号は、拡張制御基板（電圧動作基板）４０に実装されているマイクロプロセッサ等の各種回路にその電源電圧及び基準電位として供給され、コマンド信号１乃至ｎは各コマンド信号の入力回路に供給される。なお、コマンド信号の入力回路とは、コマンド信号の電圧レベルが基準電位に対して如何なる値であるかを検出する回路である。
【００３８】
図２に示される如く、コマンド信号入力回路は、例えば、コマンド信号１に対しては、トランジスタＴｒ１とバイアス用抵抗Ｒ１１，１２，１３，及び１４から構成されている。コマンド信号の電圧信号レベルがトランジスタＴｒ１のベース端子に印加されると、その信号レベルに応じてトランジスタＴｒ１のコレクタ端子に信号のオン又はオフを示す電位が表れる。拡張制御基板（電圧動作基板）４０に実装されたマイクロプロセッサ（図示せず）は、かかる電位を検知して、当該コマンド信号に対応した可動役物や拡張ＬＥＤ等の制御対象について相当の制御を行う。
【００３９】
なお、図２に示されるコマンド信号入力回路の回路構成やその使用素子は、本実施例の説明の便宜上記載したものであり、本発明の実施がかかる構成例等に限定されるものでないことは言うまでもない。例えば、コマンド信号入力回路の使用素子としてトランジスタではなく、ＦＥＴを用いても良いし、或いは、ロジックＩＣや演算増幅器を使用したコンパレータを用いても良い。
【００４０】
また、本実施例の態様は図２に示される事例に限定されるものではなく、例えば、サブ基板（従属動作基板）１０に複数のコネクタを設けて、コネクタ毎に各々のケーブルを介して複数の信号中継基板２０を接続するようにしても良い。
【実施例３】
【００４１】
次に、図３に本発明の第３の実施例である遊技機における信号中継装置の構成を示す。
【００４２】
同図において、サブ基板（従属動作基板）１０は、当否抽選を行うメイン基板の抽選結果を受けて遊技機の制御（従属動作）を行う回路基板である。即ち、遊技機における表示用ＬＥＤの駆動回路や可動役物等の制御回路等の各種回路を制御する制御信号等を生成して、これらの信号を出力する回路機能が実装された回路基板である。
【００４３】
信号中継基板２１は、サブ基板（従属動作基板）１０から出力された各種信号を、ＬＥＤ基板（電流動作基板）３０、及び拡張制御基板（電圧動作基板）４０の各々に中継伝達する回路基板である。
【００４４】
ＬＥＤ基板（電流動作基板）３０は、遊技盤における各種の電飾用ＬＥＤの発光を駆動制御する駆動回路が実装された回路基板である。
【００４５】
拡張制御基板（電圧動作基板）４０は、例えば、可動役物や拡張ＬＥＤを制御するマイクロプロセッサなどが実装された回路基板である。
【００４６】
また、サブ基板（従属動作基板）１０にはコネクタＣＮ１が、信号中継基板２１にはコネクタＣＮ２、コネクタＣＮ３、及びコネクタＣＮ５が、ＬＥＤ基板（電流動作基板）３０にはコネクタＣＮ４が、拡張制御基板（電圧動作基板）４０にはコネクタＣＮ６がそれぞれ実装されている。そして、サブ基板（従属動作基板）１０のコネクタＣＮ１と信号中継基板２１のコネクタＣＮ２とはケーブルＣｂ１を介して接続されており、信号中継基板２１のコネクタＣＮ３とＬＥＤ基板（電流動作基板）３０のコネクタＣＮ４とはケーブルＣｂ２を介して接続されている。さらに、信号中継基板２１のコネクタＣＮ５と拡張制御基板（電圧動作基板）４０のコネクタＣＮ６とはケーブルＣｂ３を介して接続されている。
【００４７】
次に、図３に示される実施例の動作について説明を行う。
【００４８】
サブ基板（従属動作基板）１０からケーブルＣｂ１を介して信号中継基板２１へ供給される信号には、電源電圧信号、ＬＥＤ駆動信号１乃至ｎ、及び基準電位信号が含まれている。
【００４９】
電源電圧信号は、ＬＥＤ基板（電流動作基板）３０に実装されたＬＥＤを発光させるため、例えば、＋１２Ｖや＋２４Ｖ等の直流電源電圧を供給する信号である。
【００５０】
ＬＥＤ駆動信号１乃至ｎは、ＬＥＤ基板（電流動作基板）３０に実装されたＬＥＤ毎にその点灯或いは消灯を制御する制御信号である。前述の如く、ＬＥＤ駆動信号は電流信号であって、各々の信号に対応するＬＥＤの発光時に、いわゆるシンク電流が各ＬＥＤのカソード側からサブ基板のＬＥＤ駆動信号端子に流入する。そして、かかるシンク電流が遮断されると各ＬＥＤは消灯する。
【００５１】
また、基準電位信号は、上記の電源電圧信号、及びＬＥＤ駆動信号１乃至ｎ、に対して基準となる電位を供給する信号である。なお、図１のブロック図には基準電位がアース電位（０Ｖ）として設定された事例が示されているが、本発明はかかる事例に限定されるものではなく、遊技機の各機種の実施態様に応じて任意の電位を基準電位信号として選択することができる。
【００５２】
サブ基板（従属動作基板）１０から供給された電源電圧信号、及びＬＥＤ駆動信号１乃至ｎは、信号中継基板２１においてコネクタＣＮ２からコネクタＣＮ３に中継され、ケーブルＣｂ２を介してＬＥＤ基板（電流動作基板）３０に供給される。なお、信号中継基板２１の内部には電流制限抵抗Ｒａ及びＬＥＤａの直列回路が設けられており、電流制限抵抗Ｒａの一端に電源電圧信号が、また、ＬＥＤａのカソードが基準電位信号に接続されている。つまり、電源電圧がサブ基板（従属動作基板）１０から信号中継基板２１に供給されている間は、電源電圧から電流制限抵抗Ｒａを介してＬＥＤａに駆動電流が流れて同ダイオードが発光する。これによって、遊技機を保守・管理するユーザーは、サブ基板（従属動作基板）１０からの電源電圧の供給が正常に為されていることを容易に視認することができる。
【００５３】
信号中継基板２１からケーブルＣｂ２を介して電源電圧信号、及びＬＥＤ駆動信号１乃至ｎの供給を受けたＬＥＤ基板（電流動作基板）３０では、これらの信号が同基板上に実装されている各々のＬＥＤと電流制限抵抗Ｒの直列回路に供給される。これを具体的に示せば、電流制限抵抗Ｒ１〜ｎの一端は全て電源電圧信号に接続され、ＬＥＤ１〜ｎのカソード側は、それぞれのＬＥＤが対応するＬＥＤ駆動信号１乃至ｎの各々に接続されている。したがって、点灯すべきＬＥＤの場合は、電源電圧から電流制限抵抗Ｒを通してＬＥＤ駆動信号が流れて同ＬＥＤが発光し、消灯すべきＬＥＤの場合は、ＬＥＤ駆動信号が流れず同ＬＥＤは発光しない。
【００５４】
ところで、ＬＥＤ基板（電流動作基板）３０に実装されたＬＥＤの点灯時は、当該ＬＥＤからのシンク電流がサブ基板（従属動作基板）１０の該当するＬＥＤ駆動信号端子に流入するため、同ＬＥＤ駆動信号端子の電位はロウ（Ｌｏｗ）となる。一方、ＬＥＤの消灯時はＬＥＤからのシンク電流が遮断されるため、同ＬＥＤ駆動信号端子の電位はハイ（Ｈｉｇｈ）となる。したがって、ＬＥＤ駆動信号１乃至ｎとコマンド信号１乃至ｎとの間において、その制御対象となる表示ＬＥＤと可動役物との対応関係が明確になっていれば、ＬＥＤ駆動信号のオン／オフの変化をコマンド信号の電圧レベルの変化として利用することが可能となる。
【００５５】
本実施例においては、ＬＥＤ駆動信号を同信号に対応する制御項目のコマンド信号として利用すべく、サブ基板（従属動作基板）１０からケーブルＣｂ１を介して信号中継基板２１に供給される電源電圧信号、ＬＥＤ駆動信号１乃至ｎ、及び基準電位信号の各々を信号中継基板２１内において分岐させてコネクタＣＮ５に接続している。すなわち、信号中継基板２１のコネクタＣＮ５から拡張制御基板（電圧動作基板）４０のコネクタＣＮ６には、ケーブルＣｂ３を介して電源電圧信号、ＬＥＤ駆動信号１乃至ｎに対応するコマンド信号１乃至ｎ、及び基準電位信号の各々が供給される。
【００５６】
そして、このうちの電源電圧信号は、拡張制御基板（電圧動作基板）４０に実装されているマイクロプロセッサ等の回路を稼動させるための直流電源電圧となり、コマンド信号１乃至ｎは、拡張制御基板（電圧動作基板）４０に実装されている可動役物や拡張ＬＥＤを制御するための制御信号となる。また、基準電位信号は、上記の電源電圧信号及びコマンド信号１乃至ｎに対して基準となる電位を供給する。なお、図３のブロック図には、基準電位をアース電位（０Ｖ）として設定した事例が示されているが、本発明はかかる事例に限定されるものではなく、遊技機種の実施態様に応じて任意の基準電位を基準電位信号として選択することができる。
【００５７】
拡張制御基板（電圧動作基板）４０において、コマンド信号１乃至ｎは各コマンド信号の入力回路に供給される。コマンド信号の入力回路は、コマンド信号の電圧レベルが基準電位に対して如何なる値であるかを検出する回路である。図３に示される如く、コマンド信号入力回路は、例えば、コマンド信号１に対しては、トランジスタＴｒ１とバイアス用抵抗Ｒ１１，１２，１３，及び１４から構成されている。コマンド信号の電圧信号レベルがトランジスタＴｒ１のベース端子に印加されると、その信号レベルに応じてトランジスタＴｒ１のコレクタ端子に信号のオン又はオフを示す電位が表れる。拡張制御基板（電圧動作基板）４０に実装されたマイクロプロセッサ（図示せず）は、かかる電位を検知して当該コマンド信号に対応した可動役物や拡張ＬＥＤ等の制御対象に相当の制御を行う。
【００５８】
なお、図３に示されるコマンド信号入力回路の回路構成やその使用素子は、本実施例の説明の便宜上記載したものであり、本発明の実施がかかる構成例等に限定されるものでないことは言うまでもない。例えば、コマンド信号入力回路の使用素子としてトランジスタではなく、ＦＥＴを用いても良いし、或いは、ロジックＩＣや演算増幅器を使用したコンパレータを用いても良い。
【００５９】
なお、信号中継基板２１内でコネクタＣＮ２からコネクタＣＮ３に電源電圧信号を中継する経路が電源電位中継路に相当し、ＬＥＤ駆動信号１乃至ｎを中継する経路が電流信号路に相当する。さらに、信号中継基板２１内でコネクタＣＮ２からコネクタＣＮ５に電源電圧信号を分岐した信号を中継する経路が電源電位中継路に相当し、ＬＥＤ駆動信号１乃至ｎを分岐した信号を中継する経路が電圧信号路に相当する。また、基準電位信号を中継する経路が基準電位中継路に相当する。因みに、これらの経路は、信号中継基板２１上に形成されたプリント・パターンや、同基板上に布設されたジャンパ線等で構成しても良いし、或いは、その他の導電性媒体等を利用して信号中継基板２１上に設けるようにしても良い。
【００６０】
また、本実施例の態様は図３に示される事例に限定されるものではなく、例えば、サブ基板（従属動作基板）１０に複数のコネクタを設けて、コネクタ毎に各々のケーブルを介して複数の信号中継基板２１を接続するようにしても良い。
【００６１】
さらに、図４に示す如く、サブ基板（従属動作基板）１０から分離して供給されるＬＥＤ駆動信号とコマンド信号を、ＬＥＤ基板（電流動作基板）３０と拡張制御基板（電圧動作基板）４０の各々に分離中継する構成としても良いし、或いは、図３に示された信号分岐の構成と図４に示された分離信号の構成とを併用するようにしても良い。
【００６２】
以上に説明したように、本発明によれば、サブ基板からのＬＥＤ駆動信号に基準電位信号を含めて信号中継基板に信号を供給する。ＬＥＤ駆動信号を単にＬＥＤの発光駆動用として使用する場合は、同信号を信号中継基板からＬＥＤ基板に中継して、基準電位信号は中継せずに信号中継基板内の電源電圧モニタ用ＬＥＤの発光に利用する。一方、ＬＥＤ駆動信号をコマンド信号として使用する場合は、ＬＥＤ駆動信号に基準電位信号を含めて拡張制御基板に中継し、拡張制御基板におけるコマンド信号の電位レベルを安定させる。また、かかる構成を採ることによってサブ基板の共通化を図ることが可能となる。
【００６３】
また、本発明によれば、信号中継基板においてコマンド信号用の出力信号コネクタをＬＥＤ駆動信号用の出力信号コネクタに転用することができるため、遊技機内にコマンド信号の供給を受ける基板がない場合でもコマンド信号用の空きコネクタが発生せず、ハードウェア構成の改造を要することなく遊技機に関する関連法規を遵守することが可能となる。
【図面の簡単な説明】
【００６４】
【図１】図１は、本発明の第１の実施例による信号中継装置の概略構成を示すブロック図である。
【図２】図２は、本発明の第２の実施例による信号中継装置の概略構成を示すブロック図である。
【図３】図３は、本発明の第３の実施例による信号中継装置の概略構成を示すブロック図である。
【図４】図４は、図３に示される信号中継装置の他の実施態様を示すブロック図である。
【符号の説明】
【００６５】
１０    サブ基板（従属動作基板）
２０、２１    信号中継基板
３０    ＬＥＤ基板（電流動作基板）
４０    拡張制御基板（電圧動作基板）
【図１】
2006239075.tif 000003
【図２】
2006239075.tif 000004
【図３】
2006239075.tif 000005
【図４】
2006239075.tif 000006